(57)【要約】【課題】  場所（ホームゲートに接続されたカードリーダ）と利用者（例えば子供が携帯するＩＣカード）の組合せに対して、適切に通知する。【解決手段】  本発明は、ＩＣカードリーダが接続され、場所ＩＤデータが付与されたホームゲートウェイと、ホームネットワークサーバとを有し、ホームゲートウェイは、ＩＣカードから読み取った利用者ＩＤデータと場所ＩＤデータをホームネットワークサーバに送信し、ホームネットワークサーバは、利用者ＩＤ、場所ＩＤ，利用者テキスト、場所テキスト、送信先アドレスを保持する記憶手段を有し、ホームゲートウェイから受信した利用者ＩＤデータと場所ＩＤデータの組合せに基づいて記憶手段を検索し、対応する１つまたは複数の利用者テキストと場所テキストと送信先アドレスの情報セットがある場合にのみ、送信メッセージを生成して、送信先アドレスに送信する。【選択図】  図１
2014106662.tif 000002
【特許請求の範囲】
【請求項１】
ホームゲートウェイに接続されたカードリーダに、カードリーダにて読み取られる利用者ＩＤデータが格納されているＩＣカードの情報を読み込ませたとき、そのイベント情報を通知する在宅情報通知システムであって、
ＩＣカードリーダが接続され、場所ＩＤデータが付与されたホームゲートウェイと、ホームネットワークサーバとを有し、
前記ホームゲートウェイは、
前記ＩＣカードから読み取った前記利用者ＩＤデータと前記場所ＩＤデータを前記ホームネットワークサーバに送信する手段を有し、
前記ホームネットワークサーバは、
利用者ＩＤ、場所ＩＤ，利用者テキスト、場所テキスト、送信先アドレスを保持する記憶手段と、
前記ホームゲートウェイから受信した前記利用者ＩＤデータと前記場所ＩＤデータの組合せに基づいて前記記憶手段を検索し、対応する１つまたは複数の利用者テキストと場所テキストと送信先アドレスの情報セットがある場合にのみ、送信メッセージを生成して、前記送信先アドレスに送信するデータ処理手段と、
を有することを特徴とする在宅情報通知システム。
【請求項２】
前記ホームネットワークサーバの前記記憶手段は、
前記場所テキストとして、前記送信メッセージを生成するための前記ホームゲートウェイの所在する場所の呼び方を格納する
請求項１記載の在宅情報通知システム。
【請求項３】
前記ホームネットワークサーバの前記記憶手段は、
前記利用者テキストとして、前記送信メッセージを生成するための前記利用者の呼び方を格納する
請求項１または２記載の在宅情報通知システム。
【請求項４】
利用者ＩＤデータが格納されているＩＣカードの情報を読み取るＩＣカードリーダが接続され場所ＩＤデータが付与されたホームゲートウェイから受信した情報に基づいて送信メッセージを送信する在宅情報通知装置であって、
前記ホームゲートウェイから利用者ＩＤデータと前記場所ＩＤデータを受信する受信手段と、
利用者ＩＤ、場所ＩＤ，利用者テキスト、場所テキスト、送信先アドレスを保持する記憶手段と、
前記ホームゲートウェイから受信した前記利用者ＩＤデータと前記場所ＩＤデータの組合せに基づいて前記記憶手段を検索し、対応する１つまたは複数の利用者テキストと場所テキストと送信先アドレスの情報セットがある場合にのみ、送信メッセージを生成して、前記送信先アドレスに送信するデータ処理手段と、
を有することを特徴とする在宅情報通知装置。
【請求項５】
前記記憶手段は、
前記場所テキストとして、前記送信メッセージを生成するための前記ホームゲートウェイの所在する場所の呼び方を格納する
請求項４記載の在宅情報通知装置。
【請求項６】
前記記憶手段は、
前記利用者テキストとして、前記送信メッセージを生成するための前記利用者の呼び方を格納する
請求項４または５記載の在宅情報通知装置。
【請求項７】
コンピュータを、
請求項４乃至６のいずれか１項に記載の在宅情報通知装置の各手段として機能させるための在宅情報通知プログラム。
【発明の詳細な説明】
【技術分野】
【０００１】
本発明は、在宅情報通知システム及び装置及びプログラムに係り、特に、利用者が帰宅した時などに、所有するカードをホームゲートウェイに接続されたカードリーダに読み込ませたとき、そのイベント情報を保護者などに通知するための在宅情報通知システム及び装置及びプログラムに関する。
【背景技術】
【０００２】
子供の安全を見守る目的で、交通機関の改札を通過したときの情報（通過日時、名前、駅名等）を配信するシステムがある（例えば、非特許文献1参照）。
【先行技術文献】
【非特許文献】
【０００３】
【非特許文献１】http://www.tokyu-security.co.jp/kids/about/index.html
【発明の概要】
【発明が解決しようとする課題】
【０００４】
子供を見守る上で、子供が帰宅したことを含め、「在宅」しているという情報は重要である。上記の非特許文献１の技術は、交通機関など登録されている利用者（子供など）に対して一律に保護者等へ通知するが、家にいることを通知する場合については、場所（個々の家）と利用者の組み合わせを考慮していないため、下記の問題に対応できない。
【０００５】
1）交通機関の入退情報を通知するシステムは、その交通期間が管理する全ての改札について、一律に登録されている利用者の入退情報を通知するが、様々な家庭のホームゲートウェイに接続されたカードリーダへＩＣカードをタッチしたイベントの通知については、利用者から見た場合、ある限られた（典型的には自宅に設置された）カードリーダに対して行う必要がある。
【０００６】
２）Ａさん（保護者）の子供が友人Bさんの家に立ち寄ったことをＡさんに通知する場合、通知のメッセージは「お子様はＢさん宅にいます。」のようになるが、Ｂさんの子供がＢさん宅に帰宅したことをＢさんに通知する場合は、「お子様は自宅に居ます。」とすべきである。このように同じ場所であっても「Ｂさん宅」としたり「自宅」としたりと変える必要がある。
【０００７】
３）同じ利用者（子供）を呼ぶ時でも、保護者が呼ぶ呼び方と、友人が呼ぶ呼び方は変わる。これを考慮して送信メッセージを生成する必要がある。
【０００８】
本発明は、上記の点に鑑みなされたもので、場所（ホームゲートに接続されたカードリーダ）と利用者（例えば子供が携帯するＩＣカード）の組合せに対して、適切に通知することが可能な在宅情報通知システム及び装置及びプログラムを提供することを目的とする。
【課題を解決するための手段】
【０００９】
上記の課題を解決するため、本発明（請求項１）は、ホームゲートウェイに接続されたカードリーダに、カードリーダにて読み取られる利用者ＩＤデータが格納されているＩＣカードの情報を読み込ませたとき、そのイベント情報を通知する在宅情報通知システムであって、
ＩＣカードリーダが接続され、場所ＩＤデータが付与されたホームゲートウェイと、ホームネットワークサーバとを有し、
前記ホームゲートウェイは、
前記ＩＣカードから読み取った前記利用者ＩＤデータと前記場所ＩＤデータを前記ホームネットワークサーバに送信する手段を有し、
前記ホームネットワークサーバは、
利用者ＩＤ、場所ＩＤ，利用者テキスト、場所テキスト、送信先アドレスを保持する記憶手段と、
前記ホームゲートウェイから受信した前記利用者ＩＤデータと前記場所ＩＤデータの組合せに基づいて前記記憶手段を検索し、対応する１つまたは複数の利用者テキストと場所テキストと送信先アドレスの情報セットがある場合にのみ、送信メッセージを生成して、前記送信先アドレスに送信するデータ処理手段と、を有する。
【００１０】
また、本発明（請求項２）は、前記ホームネットワークサーバの前記記憶手段において、
前記場所テキストとして、前記送信メッセージを生成するための前記ホームゲートウェイの所在する場所の呼び方を格納する。
【００１１】
また、本発明（請求項３）は、前記ホームネットワークサーバの前記記憶手段は、
前記利用者テキストとして、前記送信メッセージを生成するための前記利用者の呼び方を格納する。
【発明の効果】
【００１２】
上述のように、本発明によれば、場所（ホームゲートに接続されたカードリーダ）と利用者（例えば子供が携帯するＩＣカード）の組み合わせに対して、通知するか否かの判断、及び通知するメッセージや通知先の決定を適切に行い、利用者の在宅情報を通知することが可能となる。
【図面の簡単な説明】
【００１３】
【図１】本発明の一実施の形態における在宅情報通知システムの構成図である。
【図２】本発明の一実施の形態におけるデータベースの例である。
【図３】本発明の一実施の形態における動作のフローチャートである。
【発明を実施するための形態】
【００１４】
以下、図面と共に本発明の実施の形態を説明する。
【００１５】
図１は、本発明の一実施の形態における在宅情報通知システムの構成図である。
【００１６】
在宅情報通知システム装置は点線で囲まれた範囲である。
【００１７】
同図に示すシステムは、ICカード１０、カードリーダ１１、ホームゲートウェイ１２、ホームネットワークシステム１３、から構成され、カードリーダ１１とホームゲートウェイ１２ はケーブル等で、ホームゲートウェイ１２とホームネットワークサーバ１３とは例えばVPN（Virtual Private Network）などのセキュアなネットワークを介して接続されているとする。
【００１８】
ホームゲートウェイ１２は、例えばカードリーダ１１からの情報を受信する受信部１２１、ホームゲートウェイ１２に固有な場所IDデータを記憶する場所ID記憶部１２２、情報を送信する送信部１２３、から構成されているとしてもよい。
【００１９】
ホームネットワークサーバ１３は、データベース１３３を備え、さらに例えばホームゲートウェイ１２からの情報を受信する受信部１３１、データを処理するデータ処理部１３２、メールを送信する送信部１３４から構成されているとしてもよい。
【００２０】
また、ホームネットワークサーバ１３は、例えばCPUと、メモリと、HDD等の外部記憶装置と、入力装置と、出力装置を備えた汎用的なコンピュータシステムを用いることができる。このコンピュータシステムにおいて、CPUがメモリにロードされた所定のプログラムを実行することにより、各部の機能が実現される。
【００２１】
以下に、図１を用いて上記の構成における処理を説明する。
【００２２】
カードリーダ１１は、ICカード１０が受信範囲に無いかを監視し、ICカード１０を検知した場合、ICカード１０に格納された利用者ID データを読み込み、その情報をホームゲートウェイ１２に送信する。
【００２３】
ホームゲートウェイ１２は、カードリーダ１１から送信された利用者ID データを受信部１２１にて受信する。ホームゲートウェイ１２は、利用者ID データと場所ID 記憶部１２２に格納されているホームゲートウェイに固有な場所IDデータをホームゲートウェイ１２内の送信部１２３からホームネットワークサーバ1３へ送信する。
【００２４】
ホームネットワークサーバ1３、ホームゲートウェイ１２から送信された利用者ID データと場所IDデータを受信部１３１ にて受信する。
【００２５】
ホームネットワークサーバ1３は、データ処理部１３２において、データベース１３３に問い合わせることで、利用者IDと場所IDの組み合わせに対応する１つあるいは複数の情報セット（利用者テキスト情報、場所テキスト情報、送信先メールアドレス）を抽出する。
【００２６】
ここで、データベース１３３の例である図２を用いてホームネットワークサーバ１３内のデータ処理部１３２の処理を説明する。
【００２７】
今、利用者として、田中太郎(利用者ID=0001)、木村健一(利用者ID=0002)、ホームゲートウェイ１２に固有な位置データとして、田中邸(位置ID=0010)、木村邸(位置ID=0012) について考える。
【００２８】
ケース１）田中太郎君が自宅である田中邸に設置されたカードリーダ１１に自分のIC カード１０を読み込ませた時、利用者ID=0001、位置ID=0010 がホームネットワークサーバ１３に送られてくる。この利用者IDと位置IDの組み合わせに対応するのは、データベース１３３の1 行目と2 行目であり、いずれも利用者テキストとして「太郎」、位置テキストとして「自宅」が指定されている。ここから「太郎は、x 月x 日x 時x 分、自宅に居ます。」というメッセージを作成し、メール送信先として「abc@xxx.xxx.jp」、「abb@xxx.xxx.jp」を指定して、送信部１３４にメール送信を依頼する。メール送信先が複数になる例としては、両親や親戚に送信することが考えられる。
【００２９】
ケース２）田中太郎君の保護者は、息子の太郎君が友人の木村さんの家に立ち寄らせてもらうよう木村さんにお願いしている。田中太郎君が友人の木村健一君の自宅である木村邸に設置されたカードリーダ１１に自分のICカード１０を読み込ませた時、利用者ID=0001、位置ID=0012がホームネットワークサーバに１３送られてくる。この利用者IDと位置IDの組み合わせに対応するのは、データベース１３３の3 行目と4 行目である。３行目の情報セット(太郎、木村君のお宅、abc@xxx.xxx.jp)は、田中太郎君の保護者へのメール送信であり、送信メッセージは「太郎は、x 月x 日x 時x 分、木村君のお宅に居ます。」となる。４行目の情報セット(田中太郎君、自宅、cda@xxx.xxx.jp) は、木村君の保護者へのメール送信であり、送信メッセージは「田中太郎君は、x 月x 日x 時x 分、自宅に居ます。」となる。
【００３０】
ケース３）花子さんの保護者は、娘の花子さんについては、兄弟の太郎君とは違い、木村さんの家に立ち寄ることを想定していない。偶然兄弟の太郎君と一緒に木村邸に立ち寄り、木村邸に設置されたカードリーダ１１に自分のICカード１０を読み込ませたとき、利用者ID=0003、位置ID=0012がホームネットワークサーバ１３に送られてくる。しかし、この利用者IDと位置IDの組み合わせに対応する行は、データベース１３３にはない。そのため、送信メッセージは作成されず、また送信されない。
【００３１】
ホームネットワークサーバ１３の送信部１３４では、データ処理部１３２から送られてきた送信メッセージと送信先メールアドレスに基づいてメール送信を行なう。
【００３２】
次に、本発明の実施形態の動作を図１、２ に加え、図３を参照して説明する。図３は、本発明の一実施の形態における動作フローチャートである。
【００３３】
ステップ１）  利用者のIC カード１０がカードリーダ１１にタッチされると、カードリーダ１１は、ICカード１０から利用者ID データを読み込む。カードリーダ１１は、利用者IDデータをホームゲートウェイ１２へ送信する。
【００３４】
ステップ２）  ホームゲートウェイ１２ が、カードリーダ１１から送信された利用者ID データを受信する。
【００３５】
ステップ３）  ホームゲートウェイ１２が、利用者ID データとホームゲートウェイ１２に付与された場所IDデータをホームネットワークサーバ１３へ送信する。
【００３６】
ステップ４）  ホームネットネットワークサーバ１３が、利用者IDデータと場所IDデータの情報を受信する。
【００３７】
ステップ５）  ホームネットネットワークサーバ１３が、利用者IDと場所IDの組み合わせに対し、データベース１３３に格納されている１つあるいは複数の情報セット（利用者テキスト情報、場所テキスト情報、送信先メールアドレス）を抽出する。
【００３８】
ステップ６）  ホームネットネットワークサーバ１３が、情報セット毎に、利用者テキスト情報、場所テキスト情報から送信メッセージを作成し、送信先メールアドレスにメールを送信する。ステップ５において、データベース１３に情報セットが登録されていない場合は当該処理を終了し、送信メッセージは作成せずに、メール送信は行わない。
【００３９】
上記のように、予めデータベース１３３に
ａ）通知内容に含まれるホームゲートウェイ１２の所在する場所の呼び方；
ｂ）通知内容に含まれる利用者の呼び方
を設定しておくことにより、在宅通知の際に、特定の利用者と特定の場所の組み合わせが意味を持つ場合に限り、通知メッセージを送信することができ、さらに、利用者と場所の組合せによって適切な場所の呼び方や利用者の呼び方を含んだ通知メッセージを送信することが可能となる。
【００４０】
なお、上記の図１に示すホームネットワークサーバ１３の各構成要素の動作をプログラムとして構築し、在宅情報通知装置として利用されるコンピュータにインストールして実行させる、または、ネットワークを介して流通させることが可能である。
【００４１】
本発明は、上記の実施の形態に限定されることなく、特許請求の範囲内において、種々変更・応用可能である。
【符号の説明】
【００４２】
１０  ＩＣカード
１１  カードリーダ
１２  ホームゲートウェイ
１３  ホームネットワークサーバ
１２１  受信部
１２２  場所ＩＤ記憶部
１２３  送信部
１３１  受信部
１３２  データ処理部
１３３  データベース
１３４  送信部
【図１】
2014106662.tif 000003
【図２】
2014106662.tif 000004
【図３】
2014106662.tif 000005